(57)【要約】【課題】エレベーター昇降路内の配線体を見栄え良く配線でき、特に、ガラス構造のエレベーター昇降路に採用した場合に効果を発揮するエレベーター昇降路用配線装置を得ることを目的とする。【解決手段】エレベーターの昇降路に配線される配線体１０を、レール２に取り付けるエレベーター昇降路用配線装置であって、このエレベーター昇降路用配線装置は、レール２に取り付けられる配線体固定手段２３と、配線体固定手段２３に取り付けられ、配線体１０を覆う配線体カバー２６と、を備えたことを特徴とする。【選択図】図２
2007276979.tif 000002
【特許請求の範囲】
【請求項１】
エレベーターの昇降路に配線される配線体を、昇降路の固定体に取り付けるエレベーター昇降路用配線装置であって、
上記エレベーター昇降路用配線装置は、
上記昇降路の固定体に取り付けられる配線体固定手段と、
上記配線体固定手段に取り付けられ、上記配線体を覆う配線カバーと、
を備えたことを特徴とするエレベーター昇降路用配線装置。
【請求項２】
エレベーターの昇降路に配線される配線体を、昇降路の固定体に取り付けるエレベーター昇降路用配線装置であって、
上記エレベーター昇降路用配線装置は、
上記昇降路の固定体に取り付けられる配線体固定手段と、
上記配線体固定手段に取り付けられ、上記配線体を支持する配線体支持手段と、
上記配線体固定手段に取り付けられ、上記配線体支持手段と共に上記配線体を覆う配線カバーと、
を備えたことを特徴とするエレベーター昇降路用配線装置。
【請求項３】
上記昇降路の固定体は、かごあるいは取り合い錘を摺動支持するレールであることを特徴とする請求項１または請求項２記載のエレベーター昇降路用配線装置。
【請求項４】
上記昇降路の固定体は、昇降路を形成する建築梁であることを特徴とする請求項１または請求項２記載のエレベーター昇降路用配線装置。
【請求項５】
エレベーターの昇降路に配線される配線体を、かごあるいは取り合い錘を摺動支持するレールと上記エレベーター昇降路の壁面との間に取り付けるエレベーター昇降路用配線装置であって、
上記エレベーター昇降路用配線装置は、
上記レールと上記昇降路の壁面の両者に取り付けられると共に、上記配線体を収納する配線体収納部が形成された配線体固定手段と、
上記配線体固定手段の上記配線体収納部に収納される配線体を覆う配線カバーと、
を備えたことを特徴とするエレベーター昇降路用配線装置。
【発明の詳細な説明】
【技術分野】
【０００１】
この発明は、エレベーターの昇降路に配線されるケーブルあるいは電線等の配線体を、昇降路の壁面あるいはかごを摺動支持するかごレール等の昇降路の固定体に保持するエレベーター昇降路用配線装置に関するものである。
【背景技術】
【０００２】
エレベーター昇降路用配線装置である配線金具としては、従来、配線面に対面して配置される取り付け面と、この取り付け面の一側が屈折されて配線面に対して直交状態に配置される第１支持面と、この第１支持面の反取り付け面側が上記取り付け面とは逆方向に屈折され、配線面に対して離れて対向して配置される第２支持面とにより配線金具を形成した技術がある（例えば、特許文献１参照）。
【０００３】
また、制御ケーブルダクト内に制御ケーブルを収納するとともに、制御ケーブルダクトと一体化されたガバナロープダクト内および配線ケーブルダクト内に、それぞれ、ガバナロープおよび配線ケーブルを収納することにより、建物の外側からの見栄え、および、建物内の乗場ガラスからの見栄えを向上させた技術がある（例えば、特許文献２参照）。
【０００４】
【特許文献１】特開２００３−３４１９５６号公報（段落００１５、図３、図４）
【特許文献２】特開２００５−１５４０７７号公報（段落００２０、図１、図５）
【発明の開示】
【発明が解決しようとする課題】
【０００５】
上記特許文献１に開示された配線金具においては、配線面に取付面が対面して配置されて配線面に配線金具が装着される。そして、第１支持面及び第２支持面並びに第２支持面に対面した配線面によって形成された凹部に複数本の電線が抱持される。このため、複数本の配線体を一つの配線金具によって配線面に配線できることにより配線作業の手数を省き、作業能率を向上する効果がある。
【０００６】
しかし、上記特許文献１に開示された技術を近時多用されるようになったガラス構造のエレベーター、例えば、展望用エレベーター等の昇降路に採用した場合には、ガラス越しに昇降路内の電線が見えて、見栄えを損ねる問題が残る。
【０００７】
また、上記特許文献２に開示された技術によれば、制御ケーブル、配線ケーブル、あるいはガバナロープを隠すことはできるが、それらを収納する制御ケーブルダクト、ガバナロープダクトあるいは配線ケーブルダクトについては隠すことができず、見栄えの点で問題が残る。
【０００８】
この発明は、上記のような問題を解決するためになされたもので、エレベーター昇降路内の配線体を見栄え良く配線でき、特に、ガラス構造のエレベーター昇降路に採用した場合に効果を発揮するエレベーター昇降路用配線装置を得ることを目的とするものである。
【課題を解決するための手段】
【０００９】
この発明に係るエレベーター昇降路用配線装置は、エレベーターの昇降路に配線される配線体を、昇降路の固定体に取り付けるエレベーター昇降路用配線装置であって、上記エレベーター昇降路用配線装置は、上記昇降路の固定体に取り付けられる配線体固定手段と、上記配線体固定手段に取り付けられ、上記配線体を覆う配線カバーと、を備えたことを特徴とするものである。
【００１０】
また、別の発明に係るエレベーター昇降路用配線装置は、エレベーターの昇降路に配線される配線体を、かごあるいは取り合い錘を摺動支持するレールと上記エレベーター昇降路の壁面との間に取り付けるエレベーター昇降路用配線装置であって、上記エレベーター昇降路用配線装置は、上記レールと上記昇降路の壁面の両者に取り付けられると共に、上記配線体を収納する配線体収納部が形成された配線体固定手段と、上記配線体固定手段の上記配線体収納部に収納される配線体を覆う配線カバーと、を備えたことを特徴とするものである。
【発明の効果】
【００１１】
この発明によれば、エレベーター昇降路内の配線体を配線装置内に収納し、この配線装置を昇降路の固定体に取り付けたので、見栄え良く配線でき、特に、ガラス構造のエレベーター昇降路に採用した場合に効果を発揮する。
【発明を実施するための最良の形態】
【００１２】
以下、添付図面を参照しながらこの発明に係るエレベーター昇降路用配線装置の好適な実施の形態を説明する。
【００１３】
実施の形態１．
図１〜図３はこの発明の実施の形態１を説明する図で、図１はエレベーター昇降路内に設けられた電気機器の配置を概念的に示す斜視図、図２はかご側レールに取り付けられたエレベーター昇降路用配線装置の要部詳細を示す断面平面図、図３は図２のＡ−Ａ線断面図である。
【００１４】
図１において、エレベーター昇降路（以下、昇降路という。）１の一側面には、かごあるいは釣り合い錘（いずれも図示せず）の昇降方向に延在する断面略Ｔ字形状のレール、（以下、レールという。）２が設けられており、このレール２に摺動支持されてかごが昇降する。レール２は昇降路１の建築梁３にレールブラケット４により取り付けられ、固定されている。また、昇降路１の上方箇所には秤装置５、かご調速機６、および上部終点スイッチ７が設置され、昇降路１の下方箇所には下部終点スイッチ８が設置されており、建築梁３に取り付けられた制御盤９との間を制御ケーブル、配線ケーブルあるいは電線などの配線体（以下、ケーブルという。）１０により接続されている。
【００１５】
建築物の各階床には乗り場ドア１１が設置されており、この乗り場ドア１１は戸閉スイッチ１２、乗り場ドア装置１３あるいは乗り場操作信号器具１４などに基づいて開閉される。また、乗り場ドア１１の上部には、乗り場電源ボックス１５が設置されており、この乗り場電源ボックス１５内には、戸閉スイッチ１２と制御盤９との間、あるいは乗り場ドア装置１３と制御盤９との間の制御ケーブル、配線ケーブルなどのケーブル１０が集結されている。
【００１６】
次に、この発明の対象となるエレベーター昇降路用配線装置について説明する。図２および図３において、レール２のかご側から見た背面、即ち、レール２と昇降路１の壁面との間には、ケーブル１０を配線する配線装置２０が設置され、この配線装置２０は次のように構成されている。即ち、レール２のかごを摺動支持する部分２１を支える基部２２の両側部に、それぞれ先端が折曲された略コ字形状の板状体から成るケーブル固定手段、例えばケーブル固定金２３を係合させ、このケーブル固定金２３のそれぞれの中央部を図２に示すように、ねじ２４により締結する。換言すれば、ケーブル固定金２３により、レール２の基部２２を両側部から挟持し、これによりケーブル固定金２３をレール２に取り付ける。
【００１７】
ケーブル固定金２３をレール２に取り付けた後に、ケーブル支持体、例えばケーブルクリート２５によってケーブル１０を挟持し、そのケーブルクリート２５をケーブル固定金２３に取り付ける。更にその後、ケーブルカバー２６をケーブル固定金２３に取り付けてケーブル１０を覆う。以上の取り付け手順によって昇降路用配線装置２０が構成される。
【００１８】
なお、本実施形態では、ケーブル１０をケーブルクリート２５により支持した場合について説明したが、この形態によれば、風などを受けてケーブル１０が揺れて、建築物や昇降路機器と干渉したり引っかかったりするのを防止できるので効果的ではある。しかし、ケーブル１０が揺れる恐れのない場合には、ケーブルクリート２５による支持を省略し、ケーブル固定金２３とケーブルカバー２６により、ケーブル１０を覆う形態も考えられる。
【００１９】
実施の形態１に係るエレベーター昇降路用配線装置は上記のように構成されているので、エレベーター昇降路内のケーブル１０をレール２のかご側から見た背面に取り付けられた配線装置２０内に収納して見栄え良く配線でき、特に、ガラス構造のエレベーター昇降路に採用した場合に効果を発揮するものである。
【００２０】
なお、上記においては、配線装置２０をかご側レール２に取り付けた場合について説明したが、釣り合い錘を摺動支持するレールに取り付けても同様の効果を奏するものである。
【００２１】
実施の形態２．
次に、この発明の実施の形態２について、図４、図５を用いて説明する。即ち、図４は実施の形態２によるエレベーター昇降路用配線装置の要部詳細斜視図で、この図４に示すように、レール２の基部２２をレールクリップ４０と先端部分に折曲部４１が形成された配線体固定手段、例えば、ハット形状のレールブラケット４２の中央部で挟持し、ねじ４３で締結する。これによりハット形状のレールブラケット４２をレール２に取り付ける。そして、図５に示すように、ハット形状のレールブラケット４２に形成される凹所、即ち、ケーブル収納部にケーブル１０を収納し、このケーブル１０をケーブルカバー４４で覆う。その後、ハット形状のレールブラケット４２の折曲部４１をアンカーボルト４５によって昇降路１の壁面４６に固定することにより、配線装置４７を構成する。
【００２２】
この実施の形態２によるエレベーター昇降路用配線装置においても、実施の形態１と同様にエレベーター昇降路内のケーブル１０を、レール２の背面と昇降路の壁面４６の両者に取り付けられたハット形状のレールブラケット４２の凹所、即ち、ケーブル収納部に収納して見栄え良く配線でき、特に、ガラス構造のエレベーター昇降路に採用した場合に効果を発揮する。
【００２３】
なお、上記においては、配線体固定手段としてハット形状のレールブラケット４２を例に挙げて図示説明したが、例えば、台形状に折曲された配線体固定手段でも同様の効果を書するものであり、諸種の設計的変更が可能である。
【００２４】
実施の形態３．
次に、この発明の実施の形態３について、図６を用いて説明する。即ち、図６は実施の形態３によるエレベーター昇降路用配線装置の要部詳細平面図である。実施の形態１および実施の形態２は、配線装置をレールの背面に取り付けた例について説明したが、実施の形態３は、配線装置をＩ形あるいはＨ形建築梁に取り付けた例を説明するものである。
【００２５】
図６において、Ｉ形あるいはＨ形建築梁６０に配線装置６１が取り付けられている。この配線装置６１は、図２に示す実施の形態１で説明した配線装置２０と同様に構成されている。即ち、Ｉ形あるいはＨ形建築梁６０にそれぞれ先端が折曲された略コ字形状の板状体から成るケーブル固定手段、例えばケーブル固定金６２を係合させ、このケーブル固定金６２のそれぞれの中央部を図６に示すように、ねじ６３により締結する。換言すれば、ケーブル固定金６２により、Ｉ形あるいはＨ形建築梁６０を両側部から挟持し、これによりケーブル固定金６２を昇降路の建築梁であるＩ形あるいはＨ形建築梁６０に取り付ける。
【００２６】
ケーブル固定金６２をＩ形あるいはＨ形建築梁６０に取り付けた後に、ケーブルクリート６４によってケーブル１０を挟持し、そのケーブルクリート６４をケーブル固定金６２に取り付ける。更にその後、ケーブルカバー６５をケーブル固定金６２に取り付けてケーブル１０を覆う。以上の取り付け手順によって昇降路用配線装置６１が構成される。
【００２７】
この実施の形態３によるエレベーター昇降路用配線装置においても、実施の形態１あるいは実施の形態２と同様にエレベーター昇降路内のケーブル１０をＩ形あるいはＨ形建築梁６０に取り付けた配線装置６１内に収納して見栄え良く配線でき、特に、ガラス構造のエレベーター昇降路に採用した場合に効果を発揮する。
【００２８】
実施の形態４．
次に、この発明の実施の形態４について、図７を用いて説明する。即ち、図７は実施の形態４によるエレベーター昇降路用配線装置の要部詳細平面図である。この実施の形態４は、配線装置を角パイプ形建築梁に取り付けた例を説明するものである。
【００２９】
図７において、角パイプ形建築梁７０に配線装置７１が取り付けられている。この配線装置７１は、図６に示す実施の形態３で説明した配線装置６１と同様に構成されている。即ち、角パイプ形建築梁７０にそれぞれ先端が折曲された略コ字形状の板状体から成るケーブル固定手段、例えばケーブル固定金７２を係合させ、このケーブル固定金７２のそれぞれの中央部を図７に示すように、ねじ７３により締結する。換言すれば、ケーブル固定金７２により、角パイプ形建築梁７０を両側部から挟持し、これによりケーブル固定金７２を角パイプ形建築梁７０に取り付ける。
【００３０】
ケーブル固定金７２を角パイプ形建築梁７０に取り付けた後に、ケーブルクリート７４によってケーブル１０を挟持し、そのケーブルクリート７４をケーブル固定金７２に取り付ける。更にその後、ケーブルカバー７５をケーブル固定金７２に取り付けてケーブル１０を覆う。以上の取り付け手順によって昇降路用配線装置７１が構成される。
【００３１】
この実施の形態４によるエレベーター昇降路用配線装置においても、実施の形態１、実施の形態２あるいは実施の形態３と同様にエレベーター昇降路内のケーブル１０を角パイプ形建築梁７０に取り付けた配線装置７１内に収納して見栄え良く配線でき、特に、ガラス構造のエレベーター昇降路に採用した場合に効果を発揮する。
【００３２】
実施の形態５．
上記実施の形態３においては、Ｉ形あるいはＨ形建築梁６０にケーブル固定金６２を、また、実施の形態４においては、角パイプ形建築梁７０にケーブル固定金７２を取り付けて配線装置を構成した実施の形態を説明したが、Ｉ形、Ｈ形または角パイプ形建築梁に実施の形態２において説明したハット形状、あるいは台形状のレールブラケットを取り付け、このレールブラケットに形成される凹所にケーブルを収納し、ケーブルをケーブルカバーで覆い、その後、レールブラケットの折曲部をアンカーボルトによって昇降路の壁面に固定することも可能で、上記各実施の形態と同様の効果を奏することができる。
【産業上の利用可能性】
【００３３】
この発明に係るエレベーター昇降路用配線装置は、エレベーター昇降路内のケーブルを、レールの背面、あるいはＩ形、Ｈ形または角パイプ形建築梁に取り付けた配線装置内に収納して見栄え良く配線でき、特に、ガラス構造のエレベーター昇降路用配線装置としての利用可能性が大きい。
【図面の簡単な説明】
【００３４】
【図１】この発明の実施の形態１に係るエレベーター昇降路内に設けられた電気機器の配置を概念的に示す斜視図である。
【図２】この発明の実施の形態１に係るかご側レールに取り付けられたエレベーター昇降路用配線装置の要部詳細を示す断面平面図である。
【図３】図２のＡ−Ａ線断面図である。
【図４】実施の形態２によるエレベーター昇降路用配線装置の要部詳細斜視図である。
【図５】図４のエレベーター昇降路用配線装置によりケーブルを保持する状態を示す部分側面断面図である。
【図６】実施の形態３によるエレベーター昇降路用配線装置の要部詳細平面図である。
【図７】実施の形態４によるエレベーター昇降路用配線装置の要部詳細平面図である。
【符号の説明】
【００３５】
１  エレベーター昇降路                  ２  かご側レール
３  建築梁                              ４  レールブラケット
５  秤装置                              ６  かご調速機
７  上部終点スイッチ                    ８  下部終点スイッチ
９  制御盤                            １０，１６  ケーブル
１１  乗り場ドア                        １２  戸閉スイッチ
１３  乗り場ドア装置                    １４  乗り場操作信号器具
１５  乗り場電源ボックス                ２０，４７，６１，７１  配線装置
２１  かごを摺動支持する部分            ２２  レールの基部
２３，６２，７２  ケーブル固定金        ２４，４３，６３，７３  ねじ
２５，６４，７４  ケーブルクリート      ４０  レールクリップ
２６，４４，６５，７５  ケーブルカバー  ４１  折曲部
２６，４４，６５，７５  ケーブルカバー  ４２  ハット形状のレールブラケット
４５  アンカーボルト                    ４６  昇降路の壁面
６０  Ｉ形あるいはＨ形建築梁            ７０  角パイプ形建築梁
【図１】
2007276979.tif 000003
【図２】
2007276979.tif 000004
【図３】
2007276979.tif 000005
【図４】
2007276979.tif 000006
【図５】
2007276979.tif 000007
【図６】
2007276979.tif 000008
【図７】
2007276979.tif 000009